(57)【要約】【課題】故障した電子機器から代替機に設定情報を移行する際の手間を軽減することができる電子機器、電子機器の設定情報移行方法およびプログラムを提供する。【解決手段】設定情報を記憶する設定情報記憶部５４と、他の機器を接続するための１以上のインターフェースから成るインターフェース群１０と、自機器の故障を検知する故障検知部５１と、故障検知部５１による検知をトリガとして、１以上のインターフェースが正常に動作可能か否かを判別するインターフェース判別部５２と、インターフェース判別部５２の判別結果を、ユーザーに通知する通知部５３と、インターフェース判別部５２により、正常に動作可能な正常インターフェースが存在すると判別された場合、設定情報記憶部５４から読み出した設定情報を、正常インターフェースを介して他の機器に移行する設定情報移行部５５と、を備えた。【選択図】図２
2011161791.tif 000002
【特許請求の範囲】
【請求項１】
設定情報を記憶する設定情報記憶部と、
他の機器を接続するための１以上のインターフェースと、
自機器の故障を検知する故障検知部と、
前記故障検知部による検知をトリガとして、前記１以上のインターフェースが正常に動作可能か否かを判別するインターフェース判別部と、
前記インターフェース判別部の判別結果を、ユーザーに通知する通知部と、
前記インターフェース判別部により、正常に動作可能な正常インターフェースが存在すると判別された場合、前記設定情報記憶部から読み出した前記設定情報を、前記正常インターフェースを介して前記他の機器に移行する設定情報移行部と、を備えたことを特徴とする電子機器。
【請求項２】
前記設定情報移行部は、前記正常インターフェースに前記他の機器が接続されたことをトリガとして、前記設定情報を移行することを特徴とする請求項１に記載の電子機器。
【請求項３】
前記設定情報の移行を指示するための移行指示操作部をさらに備え、
前記設定情報移行部は、前記移行指示操作部が操作された場合、前記他の機器に前記設定情報を移行することを特徴とする請求項１に記載の電子機器。
【請求項４】
前記１以上のインターフェースのいずれかに接続された前記他の機器が、自機器と同一機種であるか否かを判別する機器判別部をさらに備え、
前記設定情報移行部は、前記機器判別部により、自機器と同一機種の機器が接続されたことが判別された場合、前記他の機器に前記設定情報を移行することを特徴とする請求項１に記載の電子機器。
【請求項５】
外部記憶媒体に情報を書き出す情報書き出し部をさらに備え、
前記設定情報移行部は、前記インターフェース判別部により、前記１以上のインターフェースの全てが動作不能であると判別された場合、前記設定情報記憶部から読み出した前記設定情報を、前記情報書き出し部により前記外部記憶媒体に書き出すことを特徴とする請求項１ないし４のいずれか１項に記載の電子機器。
【請求項６】
前記通知部は、前記インターフェース判別部の判別結果と共に前記設定情報の移行操作方法を示すメッセージを通知することを特徴とする請求項１ないし５のいずれか１項に記載の電子機器。
【請求項７】
前記通知部は、表示、印刷、通信のうち、いずれか１以上の手段を用いて通知を行うことを特徴とする請求項１ないし６のいずれか１項に記載の電子機器。
【請求項８】
前記設定情報記憶部は、複数種類の設定情報を記憶しており、
前記複数種類の設定情報のうち、移行対象となる１以上の設定情報を選択するための選択操作部をさらに備え、
前記設定情報移行部は、前記選択操作部により選択された前記１以上の設定情報を移行することを特徴とする請求項１ないし７のいずれか１項に記載の電子機器。
【請求項９】
設定情報を記憶する設定情報記憶部と、
他の機器を接続するための１以上のインターフェースと、を備えた電子機器の設定情報移行方法であって、
前記電子機器が、
自機器の故障を検知するステップと、
前記故障の検知をトリガとして、前記１以上のインターフェースが正常に動作可能か否かを判別するステップと、
前記１以上のインターフェースが正常に動作可能か否かの判別結果をユーザーに通知するステップと、
正常に動作可能な正常インターフェースが存在すると判別された場合、前記設定情報記憶部から読み出した前記設定情報を、前記正常インターフェースを介して前記他の機器に移行するステップと、を実行することを特徴とする電子機器の設定情報移行方法。
【請求項１０】
コンピューターに、請求項９に記載の電子機器の設定情報移行方法における各ステップを実行させるためのプログラム。
【発明の詳細な説明】
【技術分野】
【０００１】
動作モードや通信設定など各種情報が設定されている電子機器、電子機器の設定情報移行方法およびプログラムに関するものである。
【背景技術】
【０００２】
従来、プリンターなどの電子機器において、設定情報の損壊に備え、設定情報をバックアップしておくものが知られている（例えば、特許文献１）。
【先行技術文献】
【特許文献】
【０００３】
【特許文献１】特開２００９−１８１５２３号公報
【発明の概要】
【発明が解決しようとする課題】
【０００４】
ところが、損壊に備えて設定情報をバックアップしていても、自機器に何らかの障害が発生している場合（故障している場合）、その電子機器は使用不能となるため、他の電子機器を代替機として用いなければならない。そのような場合、故障した電子機器から代替機に設定情報を移行する必要があるが、従来は代替機に直接設定情報を入力し直していたため、手間がかかるといった問題があった。また、故障した電子機器と代替機をケーブル等で接続して、設定情報を送信する方法も知られているが、電子機器が故障している場合、インターフェースに不具合が生じていることが多く、インターフェースが動作可能か否かを判断する必要がある。特に、多数のインターフェースを備えた電子機器の場合は、それらの中から正常に動作可能なインターフェースを探し出す必要があり、さらに面倒であった。
【０００５】
本発明は、上記の問題点に鑑み、故障した電子機器から代替機に設定情報を移行する際の手間を軽減することができる電子機器、電子機器の設定情報移行方法およびプログラムを提供することを目的とする。
【課題を解決するための手段】
【０００６】
本発明の電子機器は、設定情報を記憶する設定情報記憶部と、他の機器を接続するための１以上のインターフェースと、自機器の故障を検知する故障検知部と、故障検知部による検知をトリガとして、１以上のインターフェースが正常に動作可能か否かを判別するインターフェース判別部と、インターフェース判別部の判別結果を、ユーザーに通知する通知部と、インターフェース判別部により、正常に動作可能な正常インターフェースが存在すると判別された場合、設定情報記憶部から読み出した設定情報を、正常インターフェースを介して他の機器に移行する設定情報移行部と、を備えたことを特徴とする。
【０００７】
本発明の電子機器の設定情報移行方法は、設定情報を記憶する設定情報記憶部と、他の機器を接続するための１以上のインターフェースと、を備えた電子機器の設定情報移行方法であって、電子機器が、自機器の故障を検知するステップと、故障の検知をトリガとして、１以上のインターフェースが正常に動作可能か否かを判別するステップと、１以上のインターフェースが正常に動作可能か否かの判別結果をユーザーに通知するステップと、正常に動作可能な正常インターフェースが存在すると判別された場合、設定情報記憶部から読み出した設定情報を、正常インターフェースを介して他の機器に移行するステップと、を実行することを特徴とする。
【０００８】
これらの構成によれば、電子機器（自機器）が故障した場合、その機器に設けられた１以上のインターフェースが正常に動作可能か否かを判別して、その判別結果を通知するため、ユーザーは、正常に動作可能なインターフェース（正常インターフェース）を把握することができる。これにより、多数のインターフェースが設けられた電子機器が故障した場合であっても、それらの中から正常インターフェースを探し出す手間を省くことができる。また、通知された正常インターフェースに他の機器を接続して、迅速に設定情報を移行させることができる。
なお、通知部は、インターフェース判別部の判別結果だけでなく、設定情報移行部による設定情報の移行完了時にも、その旨を通知することが好ましい。
【０００９】
上記に記載の電子機器において、設定情報移行部は、正常インターフェースに他の機器が接続されたことをトリガとして、設定情報を移行することが好ましい。
【００１０】
この構成によれば、インターフェース判別部の判別結果が通知された後、他の機器を接続するだけで、容易に設定情報の移行を行わせることができる。
【００１１】
上記に記載の電子機器において、設定情報の移行を指示するための移行指示操作部をさらに備え、設定情報移行部は、移行指示操作部が操作された場合、他の機器に設定情報を移行することが好ましい。
【００１２】
この構成によれば、故障時以外にも、移行指示操作部の操作によって、設定情報の移行を行わせることができる。これにより、例えばマスターとなる１台の電子機器から他の複数の機器に設定情報の複写を行う、といった設定情報の引継ぎが可能となる。
なお、設定情報移行部による設定情報の移行は、故障検知部により故障が検知されていない状態であることを条件としても良い。
【００１３】
上記に記載の電子機器において、１以上のインターフェースのいずれかに接続された他の機器が、自機器と同一機種であるか否かを判別する機器判別部をさらに備え、設定情報移行部は、機器判別部により、自機器と同一機種の機器が接続されたことが判別された場合、他の機器に設定情報を移行することが好ましい。
【００１４】
この構成によれば、故障時以外にも、自機器と同一機種の電子機器を接続することによって、設定情報の移行を行わせることができる。これにより、例えばマスターとなる１台の電子機器から他の複数の機器に設定情報の複写を行う、といった設定情報の引継ぎが可能となる。また、設定情報の移行（複写）を実現するための特別な操作や部材を必要としないため、操作が容易であると共に機器コストの上昇を抑えることができる。
なお、設定情報移行部による設定情報の移行は、故障検知部により故障が検知されていない状態であることを条件としても良い。
【００１５】
上記に記載の電子機器において、外部記憶媒体に情報を書き出す情報書き出し部をさらに備え、設定情報移行部は、インターフェース判別部により、１以上のインターフェースの全てが動作不能であると判別された場合、設定情報記憶部から読み出した設定情報を、情報書き出し部により外部記憶媒体に書き出すことが好ましい。
【００１６】
この構成によれば、電子機器に設けられた全てのインターフェースが動作不能となった場合でも、外部記憶媒体に設定情報を書き出すことができるため、当該書き出された設定情報を用いて、他の機器に設定を行うことができる。また、他の機器に情報読み取り部が設けられている場合は、その情報読み取り部に外部記憶媒体を読み取らせることで、迅速且つ容易に設定情報を移行させることができる。
【００１７】
上記に記載の電子機器において、通知部は、インターフェース判別部の判別結果と共に設定情報の移行操作方法を示すメッセージを通知することが好ましい。
【００１８】
この構成によれば、設定情報の移行操作を初めて行うユーザーであっても、容易に操作を行うことができる。
【００１９】
上記に記載の電子機器において、通知部は、表示、印刷、通信のうち、いずれか１以上の手段を用いて通知を行うことが好ましい。
【００２０】
この構成によれば、表示画面やＬＥＤなどを用いた表示、印刷物への印刷、電子メールやＷｅｂアプリケーション、電話などを用いた通信により、通知を行うことができる。
【００２１】
上記に記載の電子機器において、設定情報記憶部は、複数種類の設定情報を記憶しており、複数種類の設定情報のうち、移行対象となる１以上の設定情報を選択するための選択操作部をさらに備え、設定情報移行部は、選択操作部により選択された１以上の設定情報を移行することが好ましい。
【００２２】
この構成によれば、使用用途に応じて、移行対象となる設定情報を選択することができる。
なお、「複数種類の設定情報」には、動作モードに関する情報や通信設定に関する情報（ＩＰアドレスなど）の他、アプリケーションプログラムそのものも含まれる。また、その種類は、通信設定や動作モードなどの項目ごとに分類されても良いし、各項目内の小項目ごと（例えば、プリンターの動作モードの場合における、電力モードの設定やカラー設定など）に分類されても良い。
【００２３】
本発明のプログラムは、コンピューターに、上記に記載の電子機器の設定情報移行方法における各ステップを実行させることを特徴とする。
【００２４】
このプログラムを実行することにより、故障した電子機器から代替機に設定情報を移行する際の手間を軽減することができる電子機器の設定情報移行方法を実現できる。
【図面の簡単な説明】
【００２５】
【図１】第１実施形態に係るプリンターの制御ブロック図である。
【図２】第１実施形態に係るプリンターの機能ブロック図である。
【図３】表示画面に表示された通知内容の一例を示す図である。
【図４】第１実施形態に係るプリンターの設定情報移行処理を示すフローチャートである。
【図５】第２実施形態に係るプリンターの機能ブロック図である。
【図６】第２実施形態に係るプリンターの設定情報移行処理を示すフローチャートである。
【図７】第３実施形態に係るプリンターの機能ブロック図である。
【図８】第３実施形態に係るプリンターの設定情報移行処理を示すフローチャートである。
【発明を実施するための形態】
【００２６】
［第１実施形態］
以下、本発明の第１実施形態に係る電子機器、電子機器の設定情報移行方法およびプログラムについて、図面を参照しながら説明する。本実施形態では、電子機器として、表示画面２４および印刷機構２５を有するプリンター１を例示する。また、故障に伴って設定情報を移行する側の電子機器を「故障機器１ａ」、設定情報が移行される側の電子機器（移行先となる電子機器）を「交換機器１ｂ」と称する。
【００２７】
図１は、プリンター１の制御ブロック図である。同図に示すように、故障機器１ａおよび交換機器１ｂとして機能する２つのプリンター１は、同一構成であり、インターフェース群１０、メモリースロット１５、ＣＰＵ（Central  Processing  Unit）２１、ＲＡＭ（Random  Access  Memory）２２、ＲＯＭ（Read  Only  Memory）２３、表示画面２４、印刷機構２５および内部バス２７を備えている。
【００２８】
インターフェース群１０は、ＬＡＮインターフェース１１、２つのＵＳＢインターフェース１２，１３、ＲＳ−２３２インターフェース１４など、１以上のインターフェースから成る。また、メモリースロット１５は、外部メモリー３４（外部記憶媒体）が挿入され、情報の読み取りおよび書き出しを行う（情報書き出し部）。
【００２９】
ＣＰＵ２１は、内部バス２７を介して信号の入出力を行うことにより、プリンター１を統括制御する。また、ＲＡＭ２２は、ＣＰＵ２１が各種制御を行う際のワークエリアとして用いられる。また、ＲＯＭ２３は、制御データや制御プログラムを不揮発に記憶するものであり、設定情報記憶領域３１および設定情報移行プログラム３２を有している。設定情報記憶領域３１は、設定情報として、動作モードに関する情報（電力モードの設定やカラーモードの設定など）および通信設定に関する情報（ＩＰアドレスなど）の他、アプリケーションプログラムそのものを記憶する。また、設定情報移行プログラム３２は、本発明の骨子である設定情報移行処理（図４等参照）を実現するためのプログラムである。なお、本実施形態において、設定情報移行プログラム３２は、故障時に起動される。
【００３０】
表示画面２４は、液晶ディスプレイであり、プリンター１の各種設定を行う際に用いられる。また、本実施形態では、インターフェースの動作状態や設定情報の移行操作方法を示すメッセージなどを表示する（図３（ａ）参照）。また、印刷機構２５は、印刷ヘッドや用紙送り機構を含み、用紙上に印刷を行う。なお、当該印刷機構２５によっても、インターフェースの動作状態や設定情報の移行操作方法を示すメッセージなどを印刷可能となっている（図示省略）。
【００３１】
ところで、図１は、故障機器１ａのインターフェース群１０に含まれる４つのインターフェース１１〜１４のうち、ＬＡＮインターフェース１１以外が動作不能である場合を例示している。この場合、正常に動作するＬＡＮインターフェース１１に、ケーブル３５等を介して交換機器１ｂを接続し、故障機器１ａから交換機器１ｂに設定情報を移行する。移行された設定情報は、交換機器１ｂの設定情報記憶領域３１に格納される。
【００３２】
次に、図２を参照し、第１実施形態に係るプリンター１の機能構成について説明する。プリンター１は、主な機能構成として、故障検知部５１、インターフェース判別部５２、通知部５３、設定情報記憶部５４および設定情報移行部５５を備えている。このうち、設定情報記憶部５４は、設定情報記憶領域３１を主要部とし、上記の設定情報を記憶する。
【００３３】
故障検知部５１は、プリンター１自身（自機器）の故障を検知する。なお、ここで言う故障とは、インターフェース群１０やメモリースロット１５、印刷機構２５等の不具合を指すものであり、ＣＰＵ２１そのものの不具合を指すものではない。すなわち、最低限、設定情報移行プログラム３２の起動が可能な範囲の障害が発生したことを指す。
【００３４】
インターフェース判別部５２は、故障検知部５１による検知をトリガとして、インターフェース群１０の各インターフェースが正常に動作可能か否かを判別する。なお、当該インターフェース判別部５２、並びに後述する通知部５３および設定情報移行部５５は、設定情報移行プログラム３２に基づいて実行される機能である。
【００３５】
通知部５３は、表示画面２４への表示および印刷機構２５による印刷によってユーザーへの通知を行う。図３は、表示画面２４を用いた通知例を示す図である。図３（ａ）に示すように、通知部５３は、インターフェース判別部５２による判別終了時に、その判別結果４１、および設定情報の移行操作方法を示すメッセージ４２を通知する（表示する）。また、図３（ｂ）に示すように、後述の設定情報移行部５５による設定情報の移行完了時にも、その旨を示すメッセージ４３を通知する（表示する）。なお、同図に示すように、設定情報の移行完了時にも、インターフェース判別部５２の判別結果４１を表示しても良いし、メッセージ４３内に、移行操作方法を示すメッセージを追記しても良い。また、印刷機構２５を用いた通知については、特に図示しないが、表示画面２４への表示内容と同じ内容が用紙上に印刷される。このように、表示および印刷の両手段を用いて通知を行うことにより、いずれか一方に不具合が生じた場合でも、ユーザーに対して確実に通知を行うことができる。なお、通知手段としては、表示画面２４および印刷機構２５のいずれか一方のみであっても良い。また、不図示の操作手段を用いて、ユーザーが通知手段を選択可能としても良い。
【００３６】
図２の説明に戻る。設定情報移行部５５は、インターフェース判別部５２により、インターフェース群１０に、正常に動作可能な正常インターフェースが存在すると判別された場合、設定情報記憶部５４から読み出した設定情報を、当該正常インターフェースを介して交換機器１ｂに移行する。この場合、正常インターフェースに交換機器１ｂが接続されたことをトリガとして、設定情報を移行する。また、設定情報移行部５５は、インターフェース判別部５２により、インターフェース群１０の全てのインターフェースが動作不能であると判別された場合、メモリースロット１５によって、設定情報を外部メモリー３４に書き出す。この場合、メモリースロット１５に外部メモリー３４が挿入されたことをトリガとして、設定情報を移行する。
【００３７】
次に、図４のフローチャートを参照し、第１実施形態に係るプリンター１の設定情報移行処理について説明する。プリンター１（故障機器１ａ）は、自機器の故障を検知すると（Ｓ１１：Ｙｅｓ）、インターフェース群１０に含まれる各インターフェースの動作状態を判別し（Ｓ１２）、その判別結果をユーザーに通知する（Ｓ１３）。ユーザーは、当該判別結果に基づいて、正常インターフェースが存在するか否かを判断し、正常インターフェースが存在する場合は、その正常インターフェースに交換機器１ｂを接続する。また、正常インターフェースが存在しない場合は、メモリースロット１５に外部メモリー３４を挿入し、当該外部メモリー３４を介して設定情報を移行させる。なお、Ｓ１１：Ｎｏの場合は、故障を検知するまで、Ｓ１１の判別を繰り返す。
【００３８】
プリンター１は、Ｓ１２の判別によって、正常インターフェースが存在すると判別した場合は（Ｓ１４：Ｙｅｓ）、インターフェース群１０のいずれかのインターフェースに交換機器１ｂが接続されたとき（Ｓ１５：Ｙｅｓ）、接続されたインターフェースを介して、設定情報を移行する（Ｓ１６）。また、移行が完了した後は、その旨を表示画面２４および印刷機構２５を用いて通知する（Ｓ１７）。また、Ｓ１５：Ｎｏの場合は、交換機器１ｂが接続されるまで、Ｓ１５の判別を繰り返す。
【００３９】
一方、正常インターフェースが存在しない場合は（Ｓ１４：Ｎｏ）、メモリースロット１５に外部メモリー３４が挿入されたとき（Ｓ１８：Ｙｅｓ）、メモリースロット１５により、外部メモリー３４に設定情報を書き出す（Ｓ１９）。また、書き出しが完了した後は、その旨を表示画面２４および印刷機構２５を用いて通知する（Ｓ２０）。また、Ｓ１８：Ｎｏの場合は、外部メモリー３４が挿入されるまで、Ｓ１８の判別を繰り返す。
【００４０】
なお、上記の実施形態では、Ｓ１５：Ｎｏの場合、Ｓ１５を繰り返すものとしたが、Ｓ１５：Ｎｏの場合、Ｓ１８に遷移しても良い。つまり、正常インターフェースが存在する場合でも、外部メモリー３４を用いた設定情報の移行を可能としても良い。また、Ｓ１５：Ｎｏを所定回数繰り返した場合、並びにＳ１８：Ｎｏを所定回数繰り返した場合は、Ｓ１１に戻っても良い。また、Ｓ１７およびＳ２０の通知は、故障機器１ａ側ではなく、交換機器１ｂ側で行っても良い。
【００４１】
以上説明したとおり、本発明の第１実施形態に係るプリンター１によれば、故障した場合、その機器に設けられた各インターフェースが正常に動作可能か否かを判別して、その判別結果を通知するため、ユーザーは、正常インターフェースの存在を把握することができる。これにより、多数のインターフェースが設けられたプリンター１であっても、ユーザーがそれらの中から設定情報の移行に利用可能なインターフェースを探し出す手間を省くことができる。
【００４２】
また、故障機器１ａに設けられた全てのインターフェースが動作不能となった場合でも、外部メモリー３４に設定情報を書き出すことができるため、当該書き出された設定情報を用いて、交換機器１ｂに設定を行うことができる。また、他の機器にメモリースロット１５が設けられている場合は、当該メモリースロット１５に外部メモリー３４を読み取らせることで、迅速且つ容易に設定情報を移行させることができる。
【００４３】
なお、上記の実施形態では、全てのインターフェースが動作不能となった場合でも、外部メモリー３４に設定情報を書き出すものとしたが、メモリースロット１５も動作不能となった場合は、設定情報の少なくとも一部を、表示画面２４に表示、および／または印刷機構２５により印刷しても良い。すなわち、メモリースロット１５（情報書き出し部）が正常に動作可能か否かを判別する情報書き出し判別部をさらに備え、通知部５３は、情報書き出し判別部によりメモリースロット１５が動作不能であると判別された場合、ユーザーに対し設定情報を通知しても良い。この構成によれば、ユーザーは、表示または印刷された設定情報に基づいて、他の機器に設定情報を手入力することができる。つまり、インターフェース群１０とメモリースロット１５が両方とも動作不能となった場合でも、確実に設定情報を移行させることができる。なお、通知部５３は、メモリースロット１５が動作不能であるか否かに拘らず、情報書き出し判別部の判別結果を、ユーザーに通知することが好ましい。
【００４４】
また、上記の実施形態では、故障機器１ａと交換機器１ｂが同一構成であるものとしたが、異なる構成であっても良いし、異なる種類の電子機器であっても良い。
【００４５】
［第２実施形態］
次に、図５および図６を参照し、本発明の第２実施形態について説明する。上記の実施形態では、故障検知をトリガとして、各インターフェースの動作状態の判別および設定情報の移行を行ったが、本実施形態では、ユーザーの手動操作による指示をトリガとして、設定情報の移行を行う点で異なる。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００４６】
図５は、第２実施形態に係るプリンター１の機能ブロック図である。本実施形態のプリンター１は、第１実施形態（図２参照）と比較して、インターフェース判別部５２が省略され、移行指示操作部６１および選択操作部６３が追加された構成となっている。移行指示操作部６１は、ユーザーが設定情報の移行を指示するためのものである。本実施形態の通知部５３は、移行指示操作部６１の指示を受けて、設定情報の移行を行う旨を、表示画面２４および印刷機構２５を用いて通知する。また、第１実施形態と同様に、設定情報移行部５５の移行完了時には、その旨を通知する。
【００４７】
また、選択操作部６３は、設定情報記憶部５４に記憶されている複数種類の設定情報のうち、移行対象となる１以上の設定情報を選択するためのものである。なお、設定情報記憶部５４において、設定情報は、動作モードに関する情報、通信設定に関する情報、アプリケーションプログラム、などによってその種類が分類されている。その他、各項目内の小項目ごと（例えば、動作モードに含まれる、電力モードの設定やカラー設定など）に分類しても良い。また、本実施形態の設定情報移行部５５は、選択操作部６３により選択された１以上の設定情報を、交換機器１ｂに移行する。
【００４８】
なお、移行指示操作部６１および選択操作部６３は、それぞれ独立した操作子で実現されても良いし、特定の操作子と、電源ボタンまたはリセットボタンなど他の操作子との同時押下により実現されても良い。また、特定の操作子を、その操作の仕方の違い（ボタンの押下時間、押下間隔、押下回数、押下強度など）によって、いずれかの操作部６１，６３として機能させても良い。
【００４９】
次に、図６のフローチャートを参照し、第２実施形態に係るプリンター１の設定情報移行処理について説明する。プリンター１は、移行指示操作部６１により移行指示が行われると（Ｓ２１：Ｙｅｓ）、通知部５３により、設定情報の移行を行う旨を通知する（Ｓ２２）。その後、選択操作部６３により、移行対象となる設定情報の選択操作が行われる（Ｓ２３）。
【００５０】
プリンター１は、選択操作部６３による選択操作が完了すると、インターフェース群１０のいずれかのインターフェースに交換機器１ｂが接続されたことをトリガとして（Ｓ２４：Ｙｅｓ）、接続されたインターフェースから、Ｓ２３において選択された設定情報を移行する（Ｓ２５）。また、移行が完了した後は、その旨を通知する（Ｓ２６）。一方、Ｓ２４：Ｎｏの場合は、メモリースロット１５に外部メモリー３４が挿入されたことをトリガとして（Ｓ２７：Ｙｅｓ）、メモリースロット１５により、Ｓ２３において選択された設定情報を書き出す（Ｓ２８）。また、書き出しが完了した後は、その旨を通知する（Ｓ２９）。また、Ｓ２７：Ｎｏの場合は、Ｓ２４に戻る。
【００５１】
以上説明したとおり、本発明の第２実施形態に係るプリンター１によれば、故障時以外にも、移行指示操作部６１の操作によって、設定情報の移行を行わせることができる。これにより、例えばマスターとなる１台のプリンター１から他の複数の機器に設定情報の複写を行う、といった設定情報の引継ぎが可能となる。また、選択操作部６３を備えているため、使用用途に応じて、移行対象となる設定情報を選択することができる。つまり、動作モードのみを複写する、通信設定のみを複写する、などの選択が可能である。
【００５２】
［第３実施形態］
次に、図７および図８を参照し、本発明の第３実施形態について説明する。上記の第２実施形態では、移行指示操作部６１の操作をトリガとして設定情報の移行を行ったが、本実施形態では、自機器と同一機種の機器が接続されたことをトリガとして設定情報の移行を行う点で異なる。以下、第２実施形態と異なる点のみ説明する。なお、本実施形態において、上記の各実施形態と同様の構成部分については同様の符号を付し、詳細な説明を省略する。また、上記の各実施形態と同様の構成部分について適用される変形例は、本実施形態についても同様に適用される。
【００５３】
図７は、第３実施形態に係るプリンター１の機能ブロック図である。本実施形態のプリンター１は、第２実施形態（図５参照）と比較して、移行指示操作部６１および選択操作部６３が省略され、機器判別部７１が追加された構成となっている。機器判別部７１は、インターフェース群１０に含まれる１以上のインターフェースのいずれかに接続された他の機器が、自機器と同一機種であるか否かを判別する。当該判別は、インターフェースを介して、接続された機器から機器情報（機種情報、メーカー情報などを含む）を取得することによって判別する。ここで、接続された機器が自機器と同一機種であると判別された場合、設定情報の移行処理を開始する。また、本実施形態の通知部５３は、機器判別部７１の判別結果、並びに設定情報の移行を行う旨を、表示画面２４および印刷機構２５を用いて通知する。また、第１，２実施形態と同様に、設定情報移行部５５の移行完了時には、その旨を通知する。
【００５４】
次に、図８のフローチャートを参照し、第３実施形態に係るプリンター１の設定情報移行処理について説明する。プリンター１は、インターフェース群１０への、他の機器の接続を検出すると（Ｓ３１：Ｙｅｓ）、機器判別部７１により、その機器が自機器と同一機種であるか否かを判別する（Ｓ３２）。ここで、Ｓ３２：Ｎｏと判別した場合、並びにＳ３１：Ｎｏの場合は、Ｓ３１に戻る。
【００５５】
一方、接続された機器が自機器と同一機種であると判別した場合は（Ｓ３２：Ｙｅｓ）、通知部５３により、接続された機器が自機器と同一機種である旨、並びに設定情報の移行を行う旨を通知する（Ｓ３３）。その後、他の機器が接続されたインターフェースを介して、設定情報を移行し（Ｓ３４）、通知部５３により、移行が完了した旨を通知する（Ｓ３５）。
【００５６】
以上説明したとおり、本発明の第３実施形態に係るプリンター１によれば、設定情報の移行を実現するために特別な操作を行うことなく、容易且つ迅速に設定情報の移行を行うことができる。また、設定情報の移行を実現するための部材を必要としないため、機器コストの上昇を抑えることができる。
【００５７】
なお、上記の各実施形態において、通知部５３は、表示画面２４および印刷機構２５を用いて通知を行うものとしたが、通信手段を用いて通知を行っても良い。例えば、故障機器１ａがパーソナルコンピューターである場合、その電子メール機能、インターネット接続機能およびＦＡＸ機能等を用いて、通知を行っても良い。また、インターフェース群１０のいずれかのインターフェースに、他の外部機器（携帯電話など）を接続可能な場合は、当該外部機器を用いて通知を行っても良い。
【００５８】
また、上記の３つの実施形態を組み合わせ、故障の検知、ユーザーによる移行指示、同一機種の機器接続、のいずれによっても設定情報移行処理を実現可能としても良い。さらに、第２実施形態の選択操作部６３を、第１実施形態および第３実施形態に適用し、設定情報移行部５５は、設定情報記憶部５４に記憶されている複数種類の設定情報のうち、ユーザーが選択した１種類以上の設定情報のみを移行するようにしても良い。この場合、選択操作部６３による選択操作は、設定情報移行処理の前に行われても良いし、インターフェース判別部５２の判別結果を通知したとき行われても良い。
【００５９】
また、上記の各実施形態に示したプリンター１の各部をプログラムとして提供することが可能である。また、そのプログラムを記録媒体（図示省略）に格納して提供することも可能である。すなわち、コンピューターを、本実施形態のプリンター１の各部として機能させるためのプログラム、およびそれを記録した記録媒体も、本発明の権利範囲に含まれる。その他、本発明の電子機器を、プリンター１以外に適用するなど、本発明の要旨を逸脱しない範囲で、適宜変更が可能である。
【符号の説明】
【００６０】
１…プリンター  １０…インターフェース群  １５…メモリースロット  ２１…ＣＰＵ  ２２…ＲＡＭ  ２３…ＲＯＭ  ２４…表示画面  ２５…印刷機構  ２７…内部バス  ３１…設定情報記憶領域  ３２…設定情報移行プログラム  ３４…外部メモリー  ３５…ケーブル
【図１】
2011161791.tif 000003
【図２】
2011161791.tif 000004
【図３】
2011161791.tif 000005
【図４】
2011161791.tif 000006
【図５】
2011161791.tif 000007
【図６】
2011161791.tif 000008
【図７】
2011161791.tif 000009
【図８】
2011161791.tif 000010